(57)【特許請求の範囲】
【請求項１】
基底壁と、該基底壁から直立して延び、且つ、２つの保持溝をそれぞれ定める２つの対向する保持壁とを含むヒートシンクと、
それぞれ反対側に前記保持溝内に延びる２つの反対の羽根を有する取付座と、
前記羽根の間で前記取付座上に取り付けられ、且つ、前記ヒートシンクの前記基底壁に対して当接するよう、前記取付座を通じて延びる底壁を有する発光装置とを含み、
前記保持壁のそれぞれは、保持溝のそれぞれ１つの上側を閉じ込める上壁部分を有し、
前記取付座の前記羽根のそれぞれは、前記保持壁のそれぞれ１つの前記上壁部分に対して弾性的に当接する弾性突起を備えて形成されることで、前記発光装置の前記底壁を前記ヒートシンクの前記基底壁に対して押圧するよう、前記取付座に対して作用する押込み力を生むことを特徴とする、
発光組立体。
【請求項２】
前記ヒートシンクの前記基底壁は、そこから突出し且つ前記保持溝の間に配置されるメサを備えて形成され、前記発光装置の前記底壁は、前記ヒートシンクの前記基底壁の前記メサに直接的に接触することを特徴とする、請求項１に記載の発光組立体。
【請求項３】
前記ヒートシンクの前記基底壁は、前記メサと反対側の複数の第一フィンを備えて形成されることをさらに特徴とする、請求項２に記載の発光組立体。
【請求項４】
前記基底壁の前記メサに取り付けられ且つ互いに離間する一対の絶縁層と、該絶縁層にそれぞれ取り付けられた一対の伝導性ストリップとによってさらに特徴付けられ、前記発光装置は、前記伝導性ストリップにそれぞれ接触する一対の伝導性端子をさらに有する、請求項３に記載の発光組立体。
【請求項５】
前記取付座は、上方端部と下方端部とを有する円筒形の反射器筐体と、該反射器筐体の前記上方端部から内向きに下方に延び、底壁部分を有し、且つ、その内部に収容空間を定める切頭円錐形の反射壁とをさらに有し、前記羽根は、前記反射器筐体の前記下方端部から径方向に反対側に延び、前記切頭円錐形の反射壁の前記底壁部分は、孔を備えて形成され、前記発光装置は、前記切頭円錐形の反射壁の前記底壁部分の前記孔を嵌通して延び、そこを通じて放射される光の通路のために前記収容空間内に配置される透明な封入剤をさらに有することを特徴とする、請求項４に記載の発光組立体。
【請求項６】
前記切頭円錐形の反射壁の前記収容空間内に取り付けられる光散乱レンズによってさらに特徴付けられる、請求項５に記載の発光組立体。
【請求項７】
第一ケーシング半体と第二ケーシング半体とを有するケーシングによってさらに特徴付けられ、前記第一ケーシング半体は、その内部に内部空間を定めるよう、前記第二ケーシング半体と協働し、且つ、光通し開口と、該光通し開口の周辺から内向きに前記内部空間内に延びる筒状の閉込め壁とを備えて構成され、前記反射器筐体は、前記第一ケーシング半体の前記閉込め壁内に嵌通し、前記第二ケーシング半体は、保持孔を備えて形成され、前記基底壁は、前記ヒートシンクの前記基底壁の前記第一フィンを取り囲み、且つ、前記第二ケーシング半体の前記保持孔に嵌入されるフィン囲繞壁を備えてさらに形成され、前記ヒートシンクの前記保持壁は、前記ケーシングの前記内部空間内に配置される、請求項５に記載の発光組立体。
【請求項８】
前記保持壁のそれぞれの前記上方壁部分は、前記内部空間内に配置された複数の第二フィンを備えて形成される、請求項７に記載の発光組立体。
【請求項９】
前記ケーシングの前記内部空間内に取り付けられ、且つ、前記伝導性ストリップに電気的に接続された回路板と、前記ケーシングの前記内部空間内に配置され、且つ、前記回路板上に取り付けられ電気的に接続された電池とによってさらに特徴付けられる、請求項７に記載の発光組立体。
【請求項１０】
前記回路板に電気的に接続され、且つ、電源に接続されるよう構成されたアダプタによってさらに特徴付けられる、請求項９に記載の発光組立体。
【請求項１１】
前記ヒートシンクの前記保持壁のそれぞれは、倒立Ｌ字形状断面を有することを特徴とする、請求項１に記載の発光組立体。
【請求項１２】
前記ヒートシンクの前記基底壁は、そこから突出し且つ前記保持溝の間に配置されるメサを備えて形成され、前記発光組立体は、前記基底壁の前記メサに取り付けられたダイヤモンド状炭素フィルムの絶縁層と、該絶縁層に取り付けられ、且つ、互いに離間する一対の対向する伝導性ストリップとをさらに含み、前記発光装置は、前記伝導性ストリップにそれぞれ接触する一対の伝導性端子をさらに有し、前記発光装置の前記底壁は、前記絶縁層に直接的に接触する、請求項１に記載の発光組立体。
【請求項１３】
長手方向に延びる細長い基底壁と、前記基底壁から直立して延び且つ２つの保持溝をそれぞれ定める２つの対向する細長い保持壁とを含む細長いヒートシンクと、
複数の発光ユニットとを含み、
前記保持壁のそれぞれは、前記保持溝のそれぞれの１つの上側を閉じ込める上壁部分を有し、前記ヒートシンクは、前記長手軸に沿って整列された複数の取付ゾーンに分割され、
前記発光ユニットのそれぞれは、前記ヒートシンクの前記取付ゾーンのそれぞれの１つの上に取り付けられ、前記発光ユニットのそれぞれは、
それぞれ反対に前記保持溝内に延びる２つの反対の羽根を有する取付座と、
前記羽根の間で前記取付座の上に取り付けられ、且つ、前記ヒートシンクの前記基底壁に直接的に接触するよう前記取付座を通じて延びる発光装置とを含み、
前記取付座の前記羽根のそれぞれは、前記保持壁のそれぞれの１つの前記上壁部分に対して弾性的に当接する弾性的な突起を備えて形成されることによって、前記ヒートシンクの前記基底壁に対して前記発光装置の前記底壁を押圧するよう、前記取付座に対して作用する押込み力を生むことを特徴とする、
発光組立体。
【請求項１４】
前記ヒートシンクは、前記ヒートシンクを前記取付ゾーンに分割し、且つ、前記取付ゾーンの隣接するものの間の接合部で前記ヒートシンクの曲げを許容する複数のスリットを備えて形成されることを特徴とする、請求項１３に記載の発光組立体。
【請求項１５】
前記ヒートシンクの前記保持壁のそれぞれは、倒立Ｌ字形状断面を有することを特徴とする、請求項１３に記載の発光組立体。
【請求項１６】
前記ヒートシンクの前記保持壁は、取付空間と、それらの間の上方開口とを協働して定め、前記保持壁のそれぞれの前記上壁部分は、複数のフィンを備えて形成され、前記発光ユニットのそれぞれは、前記取付空間内に配置され、前記発光組立体は、前記ヒートシンク内の前記上方開口を覆うために、前記ヒートシンクの前記保持壁の前記上壁部分の前記フィン上に取り付けられた透明カバーをさらに含むことを特徴とする、請求項１３に記載の発光組立体。
【請求項１７】
基底壁と、該基底壁から直立して延びる複数の平行な保持壁とを含むヒートシンクと、
発光ユニットの配列とを含み、
前記保持壁のそれぞれは、２つの対向する保持溝を定め、且つ、該保持溝の上側を閉じ込める上壁部分を有し、前記ヒートシンクは、複数の取付ゾーンに分割され、
前記発光ユニットの配列のそれぞれは、前記ヒートシンクの前記取付ゾーンのそれぞれの１つの上に取り付けられ、前記発光ユニットの配列のそれぞれは、
前記保持壁の２つの隣接するものの一対の前記保持溝内にそれぞれ反対に延びる２つの反対の羽根を有する取付座と、
前記羽根の間で前記取付座上に取り付けられ、且つ、前記ヒートシンクの前記基底壁に直接的に接触するよう前記取付座を通じて延びる底壁とを有し、
前記取付座の前記羽根のそれぞれは、前記保持壁のそれぞれの１つの前記上壁部分に対して弾性的に当接する弾性的な突起を備えて形成されることによって、前記発光装置の前記底壁を前記ヒートシンクの前記基底壁に対して押圧するよう、前記取付座に対して作用する押込み力を生むことを特徴とする、
発光組立体。
【請求項１８】
前記ヒートシンクの前記保持壁のそれぞれは、Ｔ字形状断面を有することを特徴とする、請求項１７に記載の発光組立体。
【請求項１９】
前記ヒートシンクは、前記基底壁から直立して延び、且つ、上方開口と２つの端部開口とを協働して定める２つの対向する側壁をさらに有し、前記保持壁は、前記側壁の間に配置され、前記発光組立体は、前記ヒートシンクの前記上方開口を覆う上方カバーと、前記ヒートシンクの前記端部開口をそれぞれカバーする２つの端部カバーとをさらに含むことを特徴とする、請求項１７に記載の発光組立体。
【発明の詳細な説明】
【技術分野】
【０００１】
（関連出願の相互参照）
この出願は、２００５年１０月３１日に出願された台湾国特許出願第０９４１３８１１１号の優先権を主張する。
【０００２】
本発明は発光装置に関し、より具体的には、２つの保持溝を備えるヒートシンクと、保持溝内にそれぞれ延びる２つの羽根を備える取付座とを有する発光装置に関する。
【背景技術】
【０００３】
従来的な発光組立体は、通常、回路板上に取り付けられた複数の発光装置と、発光装置に起因する熱を放散させるフィン付きヒートシンクとを含む。回路板への発光装置の取付けは、通常、熱伝導性ペーストを通じて達成され、ヒートシンクへの回路板の取付けは、シリコーン接着剤を通じて達成される。よって、従来的な発光組立体の放散効率は、熱伝導性ペースト及びシリコーン接着剤の混入によって不十分であり、その結果、発光組立体の耐用年数の減少を招く。加えて、発光装置は回路板に接着されるので、回路板上の発光装置の損傷したものの置換は、比較的不便である。
【発明の開示】
【発明が解決しようとする課題】
【０００４】
従って、本発明の目的は、従来技術の前記欠点を克服し得る発光組立体を提供することである。
【課題を解決するための手段】
【０００５】
本発明によれば、基底壁と、基底壁から直立して延び、且つ、２つの保持溝をそれぞれ定める２つの対向する保持壁とを含むヒートシンクと、それぞれ反対側に前記保持溝内に延びる２つの反対の羽根を有する取付座と、羽根の間で取付座の上に取り付けられ、且つ、ヒートシンクの基底壁に対して当接するよう、取付座を通じて延びる底壁を有する発光装置とを含む発光組立体が提供される。保持壁のそれぞれは、保持溝のそれぞれ１つの上側を閉じ込める上壁部分を有し、取付座の羽根のそれぞれは、保持壁のそれぞれ１つの上壁部分に対して弾性的に当接する弾性突起を備えて形成されることで、発光装置の底壁をヒートシンクの基底壁に対して押圧するよう、取付座に対して作用する押込み力を生む。
【０００６】
本発明の他の特徴及び利点は、添付の図面を参照することで、以下の詳細な記載から明らかになるであろう。
【発明を実施するための最良の形態】
【０００７】
添付の好適実施態様を参照して本発明を詳細に記載する前に、同等の素子は記載を通じて同一の参照番号によって指し示されていることが留意されるべきである。
【０００８】
図１乃至４は、本発明に従った発光組立体の第一好適実施態様を例証している。発光組立体は、ヒートシンク２と、ヒートシンク２に取り付けられた発光ユニット３とを含み、ヒートシンクは、基底壁２２と、基底壁の２つの両端側から直立に延び、且つ、２つの保持溝２５をそれぞれ定める２つの対向する保持壁２１とを含み、各保持壁２１は、保持溝２５のそれぞれの１つの上側を閉じ込める上壁部分２１１を有する。発光ユニット３は、保持溝２５内にそれぞれ反対側に延びる２つの反対の羽根３２２を有する取付座３２と、羽根３２２の間の取付座３２上に取り付けられ、且つ、ヒートシンク２の基底壁２２に対して当接するよう取付座３２を通じて延びる底壁３１７を有する発光装置３１とを含む。取付座３２の羽根３２２のそれぞれは、保持壁２１のそれぞれの１つの上壁部分２１１に対して弾性的に当接する弾性的な突起３２９を備えて形成され、それによって、発光装置３１の底壁３１７をヒートシンク２の基底壁２２に対して押圧するよう取付座３２上に作用する押込み力を生む。
【０００９】
この実施態様では、ヒートシンク２の基底壁２２は、そこから突出して保持溝２５間に配置されるメサ２２３を備えて形成されている。発光装置３１の底壁３１７は、ヒートシンク２の基底壁２２のメサ２２３に直接的に接触している。ヒートシンク２の基底壁２２は、メサと反対側の複数の第一フィン２３１を備えて形成されている。保持壁２１のそれぞれの上壁部分２１１は、複数の第二フィン２３２を備えて形成されている。ヒートシンク２の保持壁２１のそれぞれは、倒立Ｌ形状断面を有している。
【００１０】
一対の絶縁層３１が、基底壁２２のメサ２２３に取り付けられ、相互に離間している。一対の伝導性ストリップ５１が、絶縁層４１にそれぞれ取り付けられている。発光装置３１は、伝導性ストリップ５１にそれぞれ直接的に接触する一対の伝導性端子３３１を備える半導体チップ３１１をさらに有している。
【００１１】
取付座３２は、上方端部３２４及び下方端部３２３を有する円筒形の反射器筐体３２１と、反射器筐体３２１の上方端部３２４から内向き下方に延び、底壁部分３２７を有し、且つ、その中に収容空間３２６を定める切頭円錐形の反射壁３２５とを有する。羽根３２２は、反射器筐体３２１の下方端部３２３から反対側に放射方向に延びている。切頭円錐形の反射壁３２５の底壁部分３２７は、孔３２７０を備えて形成されている。発光装置３１は、孔３２７０を通じて、切頭円錐形の反射壁３２５の底壁部分３２７内に嵌合して延び、さらに、蛍光材料の光変換層３１３と、放射された光の通路のための収容空間３２６内に配置され、且つ、ナノ等級の微粒子結晶３１６を包含する透明な封入剤３１５とを有する。光散乱レンズ３４が、切頭円錐形の反射壁３２５内の収容空間３２６内に取り付けられている。
【００１２】
ヒートシンク２と、取付座３２と、発光装置３１とを収容するために、ケーシング６が設けられ、第一ケーシング半体６１と第二ケーシング半体６２とを有する。第一ケーシング半体６１は、内側に内部空間６３を定めるために、第二ケーシング半体６２と協働し、且つ、光通し開口６０と、光通し開口６０の周辺から内向きに内部空間６３内に延びる筒状の閉込め壁６４とを備えて形成されている。反射器筐体３２１は、第一ケーシング半体６１の閉込め壁６４内に嵌合して延びている。第二ケーシング半体６２は、保持孔６２１を備えて形成されている。ヒートシンク２の基底壁２２は、ヒートシンク２の基底壁２２の第一フィン２３１を取り囲み、且つ、第二ケーシング半体６２の保持孔６２１内に嵌入されるフィン囲繞壁２４を備えてさらに形成されている。ヒートシンク２の保持壁２１及び第二フィン２３２は、ケーシング６の内部空間６３内に配置されている。
【００１３】
この実施態様において、回路板５０はケーシング６の内部空間６３内に取り付けられ、伝導性ストリップ５１に電気的に接続されている。蓄電池５２がケーシング６の内部空間６３内に配置され、回路板５０上に電気的に接続されて取り付けられている。電源コネクタポート５２５及び電源オン表示器５２４が、回路板５０上に設けられている。スイッチ動作スライド５２７を備えるスイッチ５２３が、回路板５０に電気的に結合されている。
【００１４】
図５は、本発明に従った発光組立体の第二好適実施態様を例証している。電源コネクタポート５２５を通じて回路板５０に電気的に接続され、且つ、電源（図示せず）に接続されるよう構成されたコード５２９を備えるアダプタ５２６をさらに含み、それによって、蓄電池５２の充電を許容する点で、発光組立体は前の実施態様と異なる。アダプタ５２６は、ＡＣ／ＤＣ変換器の形態である。
【００１５】
図６は、本発明に従った発光組立体の第三好適実施態様を例証している。アダプタ５２６が、自動車点火ソケットに接続するためのプラグの形態である点で、発光組立体は前の実施態様と異なる。
【００１６】
図７及び８は、本発明に従った発光組立体の第四好適実施態様を例証している。高い熱伝導性のダイヤモンド状炭素フィルム４が、ヒートシンク２の基底壁２２のメサ２２３状の前記絶縁層４１を置換するために電気絶縁層として働く点で、この実施態様の発光組立体は第一好適実施態様と異なる。この実施態様において、ダイヤモンド状炭素フィルム４は、メサ２２３の全領域を被覆し、発光装置３１の底壁３１７は、ダイヤモンド状炭素フィルム４と直接的に接触している。
【００１７】
図９乃至１２は、本発明に従った発光組立体の第五好適実施態様を例証している。この実施態様の発光組立体は、ヒートシンク２が細長く、且つ、長手方向に延びる細長い基底壁２２と、基底壁２２から直立に延び、２つの保持溝２５をそれぞれ定める２つの対向する細長い保持壁２１とを有する点を除き、第一好適実施態様のヒートシンク２の構造と類似する構造を有するヒートシンク２を含む。ヒートシンク２は、長手軸に沿って整列された複数の取付ゾーン２０に分割されている。それぞれが第一好適実施態様の発光ユニット３の構造と類似する構造をそれぞれ有する複数の発光ユニット３は、ヒートシンク２の取付ゾーン２０のそれぞれの１つの上に取り付けられている。
【００１８】
この実施態様では、ヒートシンクを取付ゾーン２０に分割し、且つ、取付ゾーン２０の隣接するものの間の接合部でヒートシンクの曲げを許容するよう、複数の離間したスリット２０１が、ヒートシンク２に形成されている。
【００１９】
ヒートシンク２の保持壁２１は、取付空間２１２と、それらの間の上部開口２１３とを協働して定めている。それぞれの発光ユニット３は、取付空間２１２内に配置されている。ヒートシンク２内の上部開口２１３を覆うために、透明カバー７が、ヒートシンク２の保持壁２１の上壁部分２１１のフィン２３２上に取り付けられている。
【００２０】
この実施態様において、それぞれの発光ユニット３の伝導性ストリップ５１は、電源９に接続された電力ユニット５に接続されている。
【００２１】
図１３及び１４は、本発明に従った発光組立体の第六好適実施態様を例証している。この実施態様の発光組立体は、発光ユニット３の配列がヒートシンク２の取付ゾーン２０上に取り付けられている点、複数の平行な保持壁が基底壁２２から直立して延びている点、及び、ヒートシンク２のそれぞれの保持壁２２がＴ字形状断面を有する点で、第五好適実施態様と異なる。
【００２２】
この実施態様では、ヒートシンク２は、基底壁２２の２つの両側から直立して延び、且つ、２つの上方開口２１３及び２つの端部開口２１４を協働して定める２つの対向する側壁２６をさらに有している。保持壁２１は、側壁２６の間に配置されている。ヒートシンク２の上部開口２１３を覆うために、上部カバー７が設けられている。加えて、ヒートシンク２の端部開口２１４をそれぞれ覆うために、２つの端部カバー７１が設けられている。
【００２３】
図１５は、本発明に従った発光組立体の第七好適実施態様を例証している。この実施態様の発光組立体は、発光装置３１の底壁３１７がヒートシンク２の基底壁２２のメサ２２３と直接的に接触するのを許容するよう、ダイヤモンド状炭素フィルム４が通し孔４０を備えて形成されている点で、図７の実施態様と異なる。代替的に、図３を参照すると、堆積されたフィルムの陽極酸化処理及び電着通じて、堆積された酸化フィルムを形成することによって、ヒートシンク２の基底壁２２のメサ２２３上に絶縁層４１を形成し得る。
【００２４】
取付座３２の羽根３２２をヒートシンク２の保持壁２１の保持溝２５内に容易に摺動し得るので、ヒートシンクへの発光ユニット３の組立ては容易化され、発光ユニット３の置換も比較的便利である。その上、本発明の発光組立体の発光ユニット３内の弾性突起３２９の包含を用いて、発光組立体の放散効率を大幅に増大し得る。
【００２５】
最も実用的且つ好適な実施態様と考えられるものとの関連で本発明を記載したが、本発明は開示の実施態様に限定されず、最広義の精神及び範囲内に含まれる多様な構成をカバーすることが意図され、全てのそのような変形及び均等構成を包含することが理解されよう。
【図面の簡単な説明】
【００２６】
【図１】本発明に従った発光組立体の第一好適実施態様を示す斜視図である。
【図２】第一好適実施態様を示す展開図である。
【図３】第一好適実施態様を示す断面図である。
【図４】第一好適実施態様の発光装置を示す部分断面図である。
【図５】本発明に従った発光組立体の第二好適実施態様を示す斜視図である。
【図６】本発明に従った発光組立体の第三好適実施態様を示す斜視図である。
【図７】本発明に従った第四好適実施態様を示す展開斜視図であり、取付座が絶縁層として働くダイヤモンド状の炭素フィルムを備えるヒートシンク上にどのように取り付けられるかを例証している。
【図８】第四好適実施態様のヒートシンク及び取付座の組立状態を示す斜視図である。
【図９】本発明に従った発光組立体の第五好適実施態様を概略的に示す部分断面図である。
【図１０】第五好適実施態様のヒートシンク上に組み立てられた発光ユニットを示す一部断面図である。
【図１１】第五好適実施態様を示す部分展開斜視図である。
【図１２】第五好適実施態様の組立状態を示す斜視図である。
【図１３】本発明に従った発光組立体の第六好適実施態様を示す部分展開斜視図である。
【図１４】第六好適実施態様を示す部分断面図である。
【図１５】本発明に従った発光組立体の第七好適実施態様を示す展開斜視図である。
【符号の説明】
【００２７】
２        ヒートシンク
３        発光組立体
４        炭素フィルム
６        ケーシング
７        透明カバー（上部カバー）
２０      取付ゾーン
２１      保持壁
２２      基底壁
２４      フィン囲繞壁
２５      取付溝
２６      側壁
３１      発光装置
３２      取付座
４１      絶縁層
５０      回路板
５１      伝導性ストリップ
５２      蓄電池
６０      光通し開口
６１      第一ケーシング半体
６２      第二ケーシング半体
６３      内部空間
７１      端部カバー
２０１    スリット
２１１    上壁部分
２１３    上方開口
２１４    端部開口
２２３    メサ
２３１    第一フィン
２３２    第二フィン
３１１    半導体チップ
３１３    光変換層
３１５    封入剤
３１６    微粒子結晶
３１７    底壁
３２１    反射器筐体
３２２    羽根
３２３    下方端部
３２４    上方端部
３２５    反射壁
３２６    収容空間
３２７    底壁部分
３２９    突起
３３１    伝導性端子
５２３    スイッチ
５２４    電源オン表示器
５２５    電源コネクタポート
５２６    アダプタ
５２７    スイッチ動作スライド
５２８    コード
６２１    保持孔
３２７０  孔
【図１】
0004733611.tif 000002
【図２】
0004733611.tif 000003
【図３】
0004733611.tif 000004
【図４】
0004733611.tif 000005
【図５】
0004733611.tif 000006
【図６】
0004733611.tif 000007
【図７】
0004733611.tif 000008
【図８】
0004733611.tif 000009
【図９】
0004733611.tif 000010
【図１０】
0004733611.tif 000011
【図１１】
0004733611.tif 000012
【図１２】
0004733611.tif 000013
【図１３】
0004733611.tif 000014
【図１４】
0004733611.tif 000015
【図１５】
0004733611.tif 000016